(57)【要約】【課題】撮影装置で撮影できる画像と撮影装置で撮影できない画像とを明確に区別可能に表示する。【解決手段】撮影システム１は、情報管理装置３と、情報管理装置３と通信可能な撮影装置２とを備える。撮影装置２は、ＧＰＳ信号等に基づいて撮影装置２の位置を算出し、情報管理装置３へ送信する。情報管理装置３は、画像データベースを記憶しており、画像データベースに記憶される画像データには、そのヘッダ部に撮影条件が関連付けられている。情報管理装置３は、画像データベースに記憶されている画像データの中から、撮影位置が撮影装置２の位置を中心とした所定範囲内に含まれる画像データを抽出する。また、情報管理装置３は、撮影装置２で撮影可能な撮影条件の画像データを抽出し、抽出された画像データを撮影装置へ送信する。撮影装置２は、情報管理装置３から送信される画像データを表示する表示部を備える。【選択図】図１
2013126012.tif 000002
【特許請求の範囲】
【請求項１】
情報管理装置と、前記情報管理装置と通信可能な撮影装置とからなる撮影システムであって、
前記撮影装置に備えられ、前記撮影装置の位置を算出する位置算出手段と、
前記撮影装置に備えられ、少なくとも前記撮影装置の位置情報を含む情報を前記情報管理装置へ送信する情報送信手段と、
前記情報管理装置に備えられ、少なくとも撮影位置情報を含む撮影条件情報と撮影画像とを関連付けて画像データとして記憶する記憶手段と、
前記情報管理装置に備えられ、前記情報送信手段により送信された前記撮影装置の位置情報に基づいて、前記撮影装置の位置から所定距離範囲内の撮影位置情報を有する画像データを、前記記憶手段から抽出する第１抽出手段と、
前記撮影装置および前記情報管理装置のいずれか少なくとも片方に備えられ、前記第１抽出手段により抽出された前記画像データのうち、前記撮影装置を用いて撮影可能な前記撮影条件情報を有する画像データを抽出する第２抽出手段と、
前記情報管理装置に備えられ、前記第１抽出手段または前記第２抽出手段により抽出された画像データを前記撮影装置へ送信する画像送信手段と、
前記撮影装置に備えられ、前記第２抽出手段により抽出された画像データを表示する表示手段と、
を備えることを特徴とする撮影システム。
【請求項２】
請求項１に記載の撮影システムにおいて、
前記情報送信手段は、前記撮影装置のＩＤ情報を前記情報管理装置へさらに送信し、
前記第２抽出手段は前記情報管理装置に備えられ、前記ＩＤ情報に基づいて、前記第１抽出手段により抽出された前記画像データのうち、前記撮影装置を用いて撮影可能な前記撮影条件情報を有する画像データを抽出し、
前記画像送信手段は、前記第２抽出手段により抽出された画像データを前記撮影装置へ送信することを特徴とする撮影システム。
【請求項３】
請求項１に記載の撮影システムにおいて、
前記画像送信手段は、前記第１抽出手段により抽出された画像データを前記撮影装置へ送信し、
前記第２抽出手段は前記撮影装置に備えられることを特徴とする撮影システム。
【請求項４】
請求項３に記載の撮影システムにおいて、
前記表示手段は、前記第２抽出手段により抽出されなかった画像データを、前記第２抽出された画像データとは異なる表示態様でさらに表示することを特徴とする撮影システム。
【請求項５】
請求項１から４のいずれか一項に記載の撮影システムに用いられる撮影装置。
【請求項６】
請求項１から４のいずれか一項に記載の撮影システムに用いられる情報管理装置。
【発明の詳細な説明】
【技術分野】
【０００１】
本発明は情報管理装置と、情報管理装置と通信可能な撮影装置と、情報管理装置および撮影装置からなる撮影システムとに関する。
【背景技術】
【０００２】
特許文献１には、情報管理装置に予め記録されたサンプル画像の中から撮影状況に応じたサンプル画像を検索して表示することができる電子カメラが開示されている。
【先行技術文献】
【特許文献】
【０００３】
【特許文献１】特開２００９−１１８３８９号公報
【発明の概要】
【発明が解決しようとする課題】
【０００４】
情報管理装置から取得したサンプル画像を表示したユーザの中には、そのサンプル画像と同様の画像を自分の手で撮影してみたいという願望を持つことがある。しかし、ユーザが所有する撮影装置の性能によっては、サンプル画像と同様の画像を撮影できないことがある。また、ユーザが所有する撮影装置がサンプル画像と同様の画像を撮像できる性能を有していても、撮影日、撮影時刻、撮影条件によってはサンプル画像と同様の画像を撮映できないこともある。そのため、ユーザは、サンプル画像と同様の画像が撮影できるか否かの判別ができないという問題があった。また、サンプル画像が表示されているにもかかわらず、サンプル画像と同様の画像が撮影できないという問題もあった。
【課題を解決するための手段】
【０００５】
本発明に係る撮影システムは、情報管理装置と、情報管理装置と通信可能な撮影装置とからなる撮影システムであって、撮影装置に備えられ、撮影装置の位置を算出する位置算出手段と、撮影装置に備えられ、少なくとも撮影装置の位置情報を含む情報を情報管理装置へ送信する情報送信手段と、情報管理装置に備えられ、少なくとも撮影位置情報を含む撮像条件情報と撮影画像とを関連付けて画像データとして記憶する記憶手段と、情報管理装置に備えられ、情報送信手段により送信された撮影装置の位置情報に基づいて、前記撮影装置の位置から所定距離範囲内の撮像位置情報を有する画像データを、記憶手段から抽出する第１抽出手段と、撮影装置および情報管理装置のいずれか少なくとも片方に備えられ、第１抽出手段により抽出された画像データのうち、撮影装置を用いて撮像可能な撮像条件情報を有する画像データを抽出する第２抽出手段と、情報管理装置に備えられ、第１抽出手段または第２抽出手段により抽出された画像データを撮影装置へ送信する画像送信手段と、撮影装置に備えられ、第２抽出手段により抽出された画像データを表示する表示手段と、を備えることを特徴とする。
【発明の効果】
【０００６】
本発明によれば、ユーザは、ユーザが所有する撮影装置で撮影できる画像と撮影装置で撮影できない画像とを明確に区別することができる。
【図面の簡単な説明】
【０００７】
【図１】本発明の一実施形態による撮影システムの一構成例を示すブロック図である。
【図２】本発明の一実施形態による撮影システムにおける撮影装置の一構成例を示すブロック図である。
【図３】本発明の一実施形態による撮影システムにおける情報管理装置の一構成例を示すブロック図である。
【図４】撮影装置のパラメータ設定処理に関するフローチャートの一例である。
【図５】撮影装置の表示手段における画像データの表示例である。
【図６】撮影装置の表示手段における画像データの表示例である。
【図７】撮影装置の表示手段における画像データの表示例である。
【発明を実施するための形態】
【０００８】
図１は、本発明の一実施の形態による撮影システムの一構成例を示すブロック図である。図１に例示される撮影システム１は撮影装置２と情報管理装置（たとえば、サーバ）３とを有し、撮影装置２と情報管理装置３とは通信回線網４を介して接続されている。通信回線網４は、インターネット回線や携帯電話回線などによって構成される。撮影装置２は、デジタルカメラや撮影機能を有する携帯電話などであって、不図示のＧＰＳ衛星からＧＰＳ情報を受信する。
【０００９】
図２は、撮影装置２の一構成例を示すブロック図である。撮影装置２は、制御部２０と入力部２１と記憶部２２と表示部２３とＧＰＳ受信部２４と通信部２５と撮像部２６とを備える。
【００１０】
制御部２０は、マイクロプロセッサ２０１や、ＲＯＭ２０２や、ＲＡＭ２０３などを有し、撮影装置２の各種処理を実行するために、入力部２１や記憶部２２、表示部２３、ＧＰＳ受信部２４、通信部２５、撮像部２６などを制御する。ＲＯＭ２０２には、撮影装置２の制御を行うためのファームウェアが記憶されている。マイクロプロセッサ２０１は、ＲＡＭ２０３を作業スペースとして利用してＲＯＭ２０２に記憶されているファームウェアを実行する。ファームウェアは、撮影装置２の各機種によって異なり、ファームウェアのバージョン情報などによって機種を識別することができる。
【００１１】
入力部２１は、電源スイッチやレリーズボタンなどの各種操作部材や、タッチパネルなどである。撮影装置２のユーザは、入力部２１を介して撮影装置２を操作することができる。記憶部２２は、フラッシュメモリなどの不揮発性の記憶装置であって、撮像部２６により撮像された画像データや情報管理装置３からダウンロードした各種情報などを記憶する。表示部２３は、液晶式ディスプレイなどの表示装置を有する。表示部２３は、制御部２０の制御により、画像データの再生表示や、メニュー画面などを表示することができる。
【００１２】
ＧＰＳ受信部２４は、複数のＧＰＳ衛星からＧＰＳ情報を受信し、受信したＧＰＳ情報を制御部２０に送信する。制御部２０は、複数のＧＰＳ衛星からのＧＰＳ情報に基づいて、撮影装置２の位置情報を算出する。通信部２５は、制御部２０の制御にしたがって、通信回線網４と接続する。撮影装置２は、通信回線網４を介して情報管理装置３と接続され、後述する各種情報の送受信を行う。
【００１３】
撮像部２６は、撮像光学系２６１や絞り２６２、撮像素子２６３、ストロボ２６４などを備え、被写体像の撮像を行う。撮像光学系２６１には、フォーカシングレンズや、ズームレンズなどが含まれ、各レンズの光軸上の位置に関する設定パラメータは、制御部２０によって設定される。絞り２６２の絞り値、撮像素子２６３の感度、シャッタースピード、露出、撮影時のストロボ２６４の要否などの設定に関する設定パラメータも制御部２０によって設定される。制御部２０は、設定パラメータを、ＲＯＭ２０２に記憶されたファームウェアの処理に基づいて自動的に設定することもできるし、入力部２１を介したユーザの入力に基づいても設定することができる。
【００１４】
図３は、情報管理装置３の一構成例を示すブロック図である。情報管理装置３は、制御部３０と記憶部３１と通信部３２とを備える。制御部３０は、マイクロプロセッサや、ＲＯＭ、ＲＡＭ（いずれも図示しない）などを有し、記憶部３１や、通信部３２などを制御して、各種処理を実行することができる。
【００１５】
記憶部３１は、ハードディスクやフラッシュメモリである。記憶部３１には、画像データベース３１１と撮影装置データベース３１２とが記憶されており、地図データベースや、アクセス履歴データベースなど、不図示の各種データベースが記憶されている。制御部３０は、各種処理の実行時に必要に応じて記憶部３１に記憶されている各種データベースからデータを検索する。
【００１６】
画像データベース３１１には、たとえば、プロのカメラマンが撮影した風景画像のサンプル画像データが記憶されている。たとえば、画像データベース３１１に記憶されているサンプル画像データには、そのサンプル画像データを撮影する際の撮影情報がヘッダ部などに関連付けられている。サンプル画像データに関連付けられる撮影情報は、サンプル画像を撮影した撮影装置の各種特性を示す撮影装置情報（撮影装置の機種、ファームウェアのバージョン情報など）、撮影条件情報（絞り値、撮像素子の感度、シャッタースピード、露出、ズーム倍率、色設定、ホワイトバランスなど）、撮影位置、接写距離、焦点距離、撮影日時、天候、ストロボの有無、連射スピード、３Ｄ機能などの情報である。
【００１７】
撮影装置データベース３１２は、撮影装置２を含む他の様々な撮影装置に関する情報が記憶されている。たとえば、撮影装置データベース３１２には、各撮影装置のＩＤ情報（撮影装置の機種）やファームウェアのバージョン情報、各撮影装置の機能情報（絞り値、撮像素子の感度、シャッタースピード、露出、ズーム倍率、色設定、ホワイトバランスなど、当該撮影装置において設定可能な機能に関する情報）などが記憶されている。情報管理装置３の制御部３０は、撮影装置のＩＤ情報をキーとして、撮影装置データベース３１２から上述したような各撮影装置に関する情報を検索することができる。
【００１８】
通信部３２は、制御部３０の制御にしたがって、通信回線網４と接続する。情報管理装置３は、通信回線網４を介して撮影装置２と接続され、後述する各種情報の送受信を行う。
【００１９】
図４は、撮影システム１において実行される撮影装置２の撮影条件に関わるパラメータ設定処理に関するフローチャートである。図４のフローチャートの各ステップは、撮影装置２の制御部２０と、情報管理装置３の制御部３０とにより実行される。撮影装置２は、ユーザが入力部２１を介して撮影条件に関わるパラメータ設定を自動で行う撮影モードを選択したときに図４の処理の実行を開始する。情報管理装置３は、撮影装置２との通信が開始したとき、図４の処理を開始する。
【００２０】
図４のステップＳ１０１では、撮影装置２の制御部２０は、撮影装置２の位置検出を行う。撮影装置２の制御部２０は、ＧＰＳ受信部２４から取得したＧＰＳ情報に基づいて、撮影装置２が存在している位置を算出し、位置情報を作成する。ステップＳ１０２では、撮影装置２の制御部２０は、ステップＳ１０１で検出した位置情報と、撮影装置２のＩＤ情報とを通信部２５及び通信回線網４を介して情報管理装置３へ送信する。
【００２１】
ステップＳ１０３では、情報管理装置３の制御部３０は、通信部３２を介して撮影装置２から送信される位置情報とＩＤ情報とを受信する。ステップＳ１０４では、情報管理装置３の制御部３０は、ステップＳ１０３で受信した撮影装置２の位置情報に基づいて、画像データベース３１１からサンプル画像データを抽出する。抽出するサンプル画像データは、たとえば、画像データベース３１１に記憶されているサンプル画像データのうち、その関連情報に記憶されている撮影位置がステップＳ１０３で受信した撮影装置２の位置情報が表す位置から所定距離範囲内にあるサンプル画像データである。
【００２２】
図４のステップＳ１０５では、情報管理装置３の制御部３０は、ステップＳ１０３で受信した撮影装置２のＩＤ情報や、その情報を受信した日時等に基づいて、ステップＳ１０４で抽出したサンプル画像データの中から撮影装置２で撮影可能なサンプル画像データを抽出する。換言すると、ステップＳ１０３で受信した撮影装置２のＩＤ情報等に基づいて、ステップＳ１０４で抽出したサンプル画像データの中から、撮影装置２で撮影不可能なサンプル画像データを除外する。たとえば、ステップＳ１０３で情報を受信したときの日付と、ステップＳ１０４で抽出したサンプル画像データの関連情報に記憶されている撮影の日付とが３か月以上離れている場合、季節が異なるためサンプル画像と同様な画像は撮影できないと判断し、そのサンプル画像データを除外する。また、ステップＳ１０３で情報を受信した時刻が昼である場合、ステップＳ１０４で抽出したサンプル画像データの関連情報に記憶されている撮影時刻が夜中であるサンプル画像と同様な画像は撮影できないと判断し、そのサンプル画像データを除外する。また、受信したＩＤ情報に基づいて撮影装置データベース３１２から撮影装置２に関する情報を取得し、撮影装置２の機種または当該ファームウェアでは同様な画像を撮影不可能なサンプル画像データを除外する。たとえば、ステップＳ１０２でＩＤ情報を送信した撮影装置２の機能では設定不可能な絞り値、シャッタースピード、ズーム倍率に設定する必要があるサンプル画像データを除外する。また、ステップＳ１０２でＩＤ情報を送信した撮影装置２のファームウェアでは実現不可能な制御で撮影されるサンプル画像データを除外する。
【００２３】
ステップＳ１０６では、情報管理装置３の制御部３０は、ステップＳ１０５で抽出した各サンプル画像データについて、撮影装置２の撮像部２６を用いてその画像データと同等の撮影条件（絞り値、撮像素子の感度、シャッタースピード、露出、ズーム倍率、色設定、ホワイトバランスなど）で画像を撮影するための設定パラメータを算出する。たとえば、制御部３０は、ステップＳ１０３で受信した撮影装置２のＩＤ情報をキーに撮影装置データベース３１２を検索し、撮影装置２に関する情報を取得する。次に、撮影装置データベース３１２から取得した撮影装置２に関する情報と、ステップＳ１０５で抽出した各サンプル画像データの撮影条件情報とに基づいて、撮影装置２の設定パラメータを算出する。
【００２４】
ステップＳ１０７では、情報管理装置３の制御部３０は、ステップＳ１０５で抽出したサンプル画像データと、ステップＳ１０６で算出した設定パラメータとを対応付けて撮影装置２へ送信する。ステップＳ１０８では、撮影装置２の制御部２０は、通信部２５および通信回線網４を介して情報管理装置３から送信されたサンプル画像データと設定パラメータとを受信する。情報管理装置３の制御部３０は、ステップＳ１０７において、撮影装置２の制御部２０へ撮影装置２の位置を中心とした周辺地図の地図画像データとともにサンプル画像データや設定パラメータなどを対応付けて撮影装置２へ送信することにしてもよい。周辺地図の地図画像データは、記憶部３１に記憶されている不図示の地図データベースをステップＳ１０４で受信した位置情報に基づいて検索することによって得られ、ステップＳ１０５で抽出したサンプル画像データの撮影位置を表すマークを付すことが望ましい。
【００２５】
ステップＳ１０９では、撮影装置２の制御部２０は、ステップＳ１０８で受信したサンプル画像を表示部２３に表示する。たとえば、受信したサンプル画像データのサムネイル画像を一覧表示することにしてもよいし、周辺地図の地図画像とともにサムネイル画像を表示することにしてもよいし、サンプル画像をスライドショーのように表示することにしてもよい。
【００２６】
ステップＳ１１０では、撮影装置２の制御部２０は、入力部２１を介したユーザが希望するサンプル画像データの選択を受け付ける。そして、ステップＳ１１１では、撮影装置２の制御部２０は、ステップＳ１１０で選択されたサンプル画像データに対応する設定パラメータに撮影装置２のパラメータを設定する。
【００２７】
図５は、表示部２３にステップＳ１０８で受信したサンプル画像を表示した画面の一例である。図５には、ステップＳ１０８で受信したサンプル画像データのサムネイル画像４０１ａ〜４０１ｄと、矢印マーク４０２とが表示部２３に表示されている。ユーザが入力部２１を介してサムネイル画像４０１ａを選択した場合は、サムネイル画像４０１ａを有するサンプル画像データに対応する設定パラメータに撮影装置２のパラメータを設定する。ユーザが入力部２１を介して矢印マーク４０２を選択した場合は、ステップＳ１０８で受信した他のサンプル画像が表示部２３に表示される。
【００２８】
以上で説明した実施の形態によれば、以下の作用効果が得られる。
撮影システム１は、情報管理装置３と、情報管理装置３と通信可能な撮影装置２とを備える。撮影装置２の制御部２０は、ＧＰＳ受信部２４を介して受信したＧＰＳ情報に基づいて撮影装置２の位置を算出し（図４のステップＳ１０１）、情報管理装置３へ送信する（ステップＳ１０２）。情報管理装置３は、画像データベース３１１を有しており、画像データベース３１１に記憶される画像データには、そのヘッダ部に撮影条件が関連付けられている。情報管理装置３は、画像データベース３１１に記憶されている画像データの中から、撮影位置が撮影装置２の位置を中心とした所定範囲内に含まれる画像データを抽出する（ステップＳ１０４）。また、情報管理装置３は、撮影装置２で撮影可能な撮影条件の画像データを抽出し（ステップＳ１０５）、抽出された画像データを撮影装置へ送信する（ステップＳ１０７）。撮影装置２は、情報管理装置３から送信される画像データを表示する表示部２３を備える。このようにすることによりユーザは、ユーザが所有する撮影装置で撮影できる画像を撮影装置で撮影できない画像と明確に区別することができる。
【００２９】
以上で説明した各実施の形態は、以下のように変形して実施できる。
〔１〕上記の実施の形態では、情報管理装置３は、撮影装置２から送信されてきた撮影装置２の機種またはファームウェア情報に基づいて、撮影装置データベース３１２を検索し、その検索結果を用いて撮影装置２の設定パラメータを算出した。しかし、設定パラメータを算出する方法は、この方法だけに限定しない。たとえば、撮影装置２が撮像部２６を用いて撮影したスル―画像データを、ファームウェア情報の代わりに情報管理装置３へ送信し、情報管理装置３がそのスル―画像データとステップＳ１０５で抽出されたサンプル画像データとを比較する。そして、その比較結果とステップＳ１０５で抽出されたサンプル画像データの撮影条件とに基づいて、設定パラメータを算出することにしてもよい。このようにすることにより、撮影装置データベース３１２に記憶されていない撮影装置についても、設定パラメータを算出することができる。
【００３０】
〔２〕上記の実施の形態では、情報管理装置３は、ステップＳ１０６において撮影装置２の設定パラメータを算出したが、サンプル画像と同様の画像を撮影できる設定パラメータに撮影装置２を設定するための設定情報であれば、設定パラメータだけに限定しない。たとえば、サンプル画像データと同様の設定で撮影するために変更しなくてはならない設定項目（絞り値、感度、シャッタースピード、ズーム倍率など）を表示し、ユーザに撮影装置２の設定変更を促す画面の画像データを作成する。設定パラメータの代わりに、作成した設定変更を促す画面の画像データを撮影装置２に送信することにしてもよい。
【００３１】
〔３〕上記の実施の形態では、図４のステップＳ１０５においてサンプル画像と同様の画像を撮影装置２で撮影可能か否かを情報管理装置３が判定したが、撮影装置２が判定することにしてもよい。また、ステップＳ１０６の処理のように、ステップＳ１０５で抽出されたサンプル画像データに対応した設定パラメータを算出する処理についても、撮影装置２で実行することにしてもよい。
【００３２】
たとえば、情報管理装置３が図４のステップＳ１０５においてサンプル画像データを抽出した後、情報管理装置３がステップＳ１０５で抽出したサンプル画像データを撮影装置２へ送信し、そのサンプル画像データを受信した撮影装置２がそのサンプル画像データに関連付けられた撮影条件情報に基づいてステップＳ１０６と同様の処理を実行し、設定パラメータを算出することにしてもよい。
【００３３】
また、たとえばステップＳ１０４で抽出したサンプル画像データから撮影不可能なサンプル画像データを除外することなくサンプル画像データとして撮影装置２へ送信して、撮影装置２が送信されたサンプル画像データの中から撮影可能なサンプル画像データを抽出することにしてもよい。撮影装置２により抽出されたサンプル画像データに対応した設定パラメータは、撮影装置２がステップＳ１０６と同様の処理を実行することにより算出してもよいし、ステップＳ１０４で抽出したサンプル画像データを撮影装置２へ送信する前に情報管理装置３で算出しサンプル画像データとともに送信することにしてもよい。
【００３４】
〔４〕上記の実施の形態では、図４のステップＳ１０５において、ステップＳ１０４で抽出したサンプル画像データの中から撮影装置２で撮影不可能なサンプル画像データを除外する抽出処理を行ったが、撮影可能なサンプル画像データと撮影不可能なサンプル画像データとを分類する抽出処理を行ってもよい。そして、ステップＳ１０７において、撮影可能なサンプル画像データを撮影装置２へ送信すると共に、撮影不可能なサンプル画像データを撮影装置２へ送信することにしてもよい。
【００３５】
そして、図６に示すように、撮影可能と判定されたサンプル画像と共に、撮影不可能と判定されたサンプル画像データを表すマーク５０１を表示部２３に表示することにしてもよい。なお、撮影不可能と判定されたサンプル画像データに関する表示は、マーク５０１に限定されず、撮影可能と判定されたサンプル画像データと異なる表示態様であればよい。
【００３６】
図６は、サムネイル画像４０１ｄを有するサンプル画像データが撮影装置２により撮影不可能と判定された場合の表示例を示している。サムネイル画像４０１ｄは表示されているが、撮影不可能と判定されたことを示すマーク５０１がサムネイル画像４０１ｄに重畳して表示されている。なお、撮影不可能と判定されたサンプル画像データのサムネイル画像が選択された場合は、撮影不可能と判定された理由の詳細メッセージを表示部２３に表示することにしてもよい。たとえば、「撮影時のズーム倍率が撮影装置の設定範囲外です」などのメッセージを表示することにすればよい。なお、サムネイル画像４０１ｄを表示する代わりに、撮影不可能と判定されたことを示すマーク５０１だけが表示されるようにしてもよい。また、図４のステップＳ１０６と同様の処理を撮影装置２が行う場合に、同様な表示を行うようにしてもよい。
【００３７】
〔５〕上記の実施形態では、図４のステップＳ１０５において、ステップＳ１０４で抽出されたサンプル画像データの中から、撮影装置２で撮影不可能なサンプル画像データを除外することにより、撮影装置２で撮影可能なサンプル画像データを抽出した。しかし、撮影装置２で撮影不可能なサンプル画像データについては、情報管理装置３の制御部３０が撮影可能な画像となるように画像処理を行い、画像処理後の画像データに対応する撮影条件に基づいて設定パラメータを算出することにしてもよい。たとえば、ユーザが撮影装置２で撮影を行おうとしているときの天候と、サンプル画像の撮影時の天候とがそれぞれ異なる場合、サンプル画像のホワイトバランスを現在の天候のホワイトバランスに合わせて画像処理を行うようにする。
【００３８】
また、ステップＳ１０５において撮影装置２で撮影不可能と判定されたサンプル画像データであっても除外せずに、ステップＳ１０７においてサンプル画像データとして撮影装置２へ送信することにしてもよい。撮影装置２で撮影不可能と判定されたサンプル画像データを撮影装置２へ送信するときは、撮影可能となるように画像処理を行ったサンプル画像データを送信してもよいし、ステップＳ１０４で抽出したサンプル画像データを送信してもよい。そして、撮影装置２は、撮影可能と判定されたサンプル画像のほかに、撮影不可能と判定されたサンプル画像を表示部２３に表示することにしてもよい。
【００３９】
図７は、撮影可能と判定されたサンプル画像データのサムネイル画像と、撮影不可能と判定されたサンプル画像データのサムネイル画像とを表示部２３に表示した場合の表示画面例である。図７には、ステップＳ１０５において撮影装置２で撮影可能と判定されたサンプル画像データのサムネイル画像４０１ａ〜４０１ｃと、ステップＳ１０５において撮影装置２では撮影不可能と判定されたサンプル画像データのサムネイル画像６０１とが表示部２３に表示されている。サムネイル画像６０１は、図５のサムネイル画像４０１ｄに対応しており、サムネイル画像４０１ｄのサンプル画像データに関連付けられた撮影条件情報のうちズーム倍率が撮影装置２の設定範囲外であるため、撮影可能となるように画像処理を行ったものである。
【００４０】
ユーザがサムネイル画像６０１のように、撮影不可能と判定されたサンプル画像データのサムネイル画像を選択した場合は、撮影不可能と判定された理由の詳細メッセージ（「撮影時のズーム倍率が撮影装置の設定範囲外です」など）を表示部２３に表示すると共に、選択されたサムネイル画像に似た画像が撮影できるように撮影装置２のパラメータを設定するようにしてもよい。または、選択されたサムネイル画像に似た画像が撮影できるように、ユーザに撮影装置２のパラメータ設定を促すようにしてもよい。たとえば、ズーム倍率が撮影装置２の設定範囲外であった場合は「ズーム倍率を最大にしてください」などのメッセージを表示することにすればよい。
【００４１】
〔６〕ユーザがステップＳ１１０で選択したサムネイル画像を見本として実際に撮影を行ったとき、選択したサムネイル画像と撮像部２６を介して撮影した画像データとを記憶部２２に記憶することにしてもよい。また、図６のマーク５０１が重畳されたサンプル画像のように、撮影不可能なサンプル画像データが選択された場合は、そのマークに対応するサムネイル画像のみを記憶部２２に記憶することにしてもよい。また、撮像部２６により撮影された画像データを情報管理装置３へ送信し、情報管理装置３の制御部３０に希望通りの画像が撮れているか否かを判定させてもよい。制御部３０は、希望通りに画像を撮影できていないと判定した場合は、撮影可能となる設定パラメータを撮影装置２へ再度送信することにしてもよい。
【００４２】
〔７〕画像データベース３１１には、プロのカメラマンが撮影した風景画像のサンプル画像データだけでなく、ユーザや一般人が過去に撮影した画像データが記憶されていてもよい。画像データベース３１１に記憶されているユーザや一般人が過去に撮影した画像データには、その画像データを撮影した際の撮影条件がヘッダ部などに関連付けられている。
【００４３】
以上で説明した実施の形態や変形例はあくまで一例であり、発明の特徴が損なわれない限り本発明はこれらの内容に限定されない。また、以上で説明した実施の形態や変形例は発明の特徴が損なわれない限り組み合わせて実行してもよい。
【符号の説明】
【００４４】
１  撮影システム
２  撮影装置
３  情報管理装置
４  通信回線網
２０  制御部
２１  入力部
２２  記憶部
２３  表示部
２４  ＧＰＳ受信部
２５  通信部
２６  撮像部
３０  制御部
３１  記憶部
３２  通信部
３１１  画像データベース
３１２  撮影装置データベース
【図１】
2013126012.tif 000003
【図２】
2013126012.tif 000004
【図３】
2013126012.tif 000005
【図４】
2013126012.tif 000006
【図５】
2013126012.tif 000007
【図６】
2013126012.tif 000008
【図７】
2013126012.tif 000009